(57)【要約】      （修正有）【課題】積層電力モジュール用スライド構造が提供される。【解決手段】スライド構造は、電力モジュール１の左上縁部及び右上縁部で、其々、移動方向に延在する左スライド構造部４１及び右スライド構造部４２を含む。各電力モジュールの左下縁部及び右下縁部は、其々、移動方向に延在し、左スライド構造部及び右スライド構造部に対応する相手方左スライド構造部及び相手方右スライド構造部を備える。複数の電力モジュールは、このスライド構造によって積層可能になる。【選択図】図２
0003209235.tif 000002
【実用新案登録請求の範囲】
【請求項１】
積層電力モジュール用スライド構造であり、前記電力モジュールの其々は、正面板、背面板、天面板、底面板、左側面板、右側面板及び前記電力モジュールに収容されるバッテリパックを備え、前記天面板は、左上縁部及び右上縁部を有し、前記底面板は、左下縁部及び右下縁部を有し、前記背面板は、コネクタモジュールと共に取付けられ、前記バッテリパックと電気的接続されるスライド構造であって、
該スライド構造は、
移動方向に延在する左スライド構造部及び右スライド構造部は、其々、各電力モジュールの前記左上縁部及び右上縁部に形成され、
移動方向に延在する相手方左スライド構造部及び相手方右スライド構造部は、其々、各電力モジュールの前記左下縁部及び前記右下縁部に形成され、前記左スライド構造部及び前記右スライド構造部に対応することを特徴とする、
スライド構造。
【請求項２】
前記電力モジュールの前記天面板は、該天面板に形成され、前記移動方向に延在する位置合せスロットを更に含み、前記電力モジュールの前記底面板は、前記天面板の前記位置合せスロットに対応する位置合せレールを含むことを特徴とする、請求項１に記載のスライド構造。
【請求項３】
前記電力モジュールの前記左側面板及び前記右側面板は、其々放熱フィン組立体を備えることを特徴とする、請求項１に記載のスライド構造。
【請求項４】
前記電力モジュールの前記左側面板及び前記右側面板は、其々、該板に形成される少なくとも１つのクーラント液流路を備えることを特徴とする、請求項１に記載のスライド構造。
【請求項５】
前記天面板、前記底面板、前記左側面板、及び前記右側面板は、一体成形によって形成されることを特徴とする、請求項１に記載のスライド構造。
【請求項６】
前記電力モジュールの前記左側面板及び前記右側面板は、其々係止体を備えることを特徴とする、請求項１に記載のスライド構造。
【考案の詳細な説明】
【技術分野】
【０００１】
本考案は、電力モジュール用積層構造、特に、積層電力モジュール用スライド積層（ｓｌｉｄｅ−ｔｏ−ｓｔａｃｋ）構造に関する。
【背景技術】
【０００２】
電力モジュールは、蓄電及び蓄電力を供給する様々な電気製品に幅広く使用されている。複数の電力モジュールを組合せるのに、電力モジュールの従来の構成は、フレーム又は箱構造体を囲む金属製ハウジングを含み、次にバッテリパックは、ボルト、保持棒、保持タブ、リベット等の係止体（ｌｏｃｋ）によってフレーム又は箱中に置かれ、固定され、その後、コネクタ又は接続ケーブルに接続される。
かかる従来の構成には、組立難い、分解や維持が難しい、フレームの材料費が高いといった幾つかの欠点がある。
【０００３】
更に、電力モジュールの操作中に発生する熱を除去するために、放熱ファンをフレーム又は箱内に設けることが多い。これは、追加の放熱費用を含むことになるだけでなく、メンテナンスや動作ノイズに係る更なる問題も引き起こす。
【考案の概要】
【考案が解決しようとする課題】
【０００４】
本考案の目的は、複数の電力モジュールを、単純なスライド積層構造、且つ簡単な操作によって、積層可能にする、積層電力モジュール用スライド構造を提供することである。
【課題を解決するための手段】
【０００５】
本考案は、積層電力モジュール用スライド構造を提供する。スライド構造は、電力モジュールの左上縁部及び右上縁部で、其々、移動方向に延在する左スライド構造部及び右スライド構造部を含む。各電力モジュールの左下縁部及び右下縁部は、其々、移動方向に延在し、左スライド構造部及び右スライド構造部に其々対応する相手方左スライド構造部及び相手方右スライド構造部を備える。複数の電力モジュールは、このスライド構造によって積層可能になる。
【０００６】
本考案の目的は、複数の電力モジュールを、単純なスライド積層構造、且つ簡単な操作によって、積層可能にする、積層電力モジュール用スライド構造を提供することである。
【０００７】
本考案による積層電力モジュール用スライド構造により、複数の電力モジュールが、単純なスライド積層構造、且つ簡単な操作によって、複雑な構造の必要なく、積層可能になる。更に、電力モジュールの操作中に発生する熱は、電力モジュールに形成される放熱フィン組立体及びクーラント液流路によって、放散されてもよい。
【０００８】
本考案は、添付図を参照して、本考案の好適実施形態に関する以下の記載を読むことによって、当業者には明らかになるであろう。
【図面の簡単な説明】
【０００９】
【図１】本考案の実施形態を示す斜視図である。
【図２】部品が取外された状態の図１の分解図である。
【図３】図２の平面図である。
【図４】部品が取外された状態で、後側から見た本考案の分解図である。
【図５】図１のＡ−Ａ線に沿った断面図である。
【図６】部品が更に取外された状態の本考案の分解図である。
【図７】本考案に従い、複数の電力モジュールが纏めて積層され、組合されるところを示す、前側から見た、斜視図である。
【図８】本考案に従い、複数の電力モジュールがスライド操作によって積層されるところを示す、右側面図である。
【図９】本考案に従い、複数の電力モジュールが積層されたところを示す、前側から見た、斜視図である。
【図１０】本考案に従い、複数の電力モジュールが積層されたところを示す、右側面図である。
【図１１】本考案に従い、複数の電力モジュールが積層されたところを示す、後側から見た、斜視図である。
【考案を実施するための形態】
【００１０】
図１乃至図４を参照する。電力モジュール１は、正面板１１、背面板１２、天面板１３、底面板１４、並びに互いに相対する左側面板１５及び右側面板１６の間で、該板によって画成される内部空間を含む。
バッテリパック２は、電力モジュール１の内部空間に受容され、固定される。電力モジュール１の正面板１１は、ユーザによる電力モジュール１をスライドする操作が容易にできるように、該正面板１１に取付けられる２本のハンドル１７を含む。
【００１１】
電力モジュール１の背面板１２は、天面板１３に隣接する位置に、コネクタモジュール３を備える。コネクタモジュール３は、バッテリパック２に電気的に接続される。コネクタモジュール３は、少なくとも１つの電力コネクタ及び少なくとも１つの信号コネクタを含んでもよい。
【００１２】
図５を参照する。電力モジュール１の天面板１３は、該天面板の左上縁部及び右上縁部に、移動方向Ｍ１に延在する左スライド構造部４１及び右スライド構造部４２を備える。
【００１３】
電力モジュール１の底面板１４は、該底面板の左下縁部及び右下縁部に、移動方向Ｍ１に延在し、其々左上縁部４１及び右上縁部４２に対応する、相手方左スライド構造部５１及び相手方右スライド構造部５２を備える。
【００１４】
左スライド構造部４１、右スライド構造部４２、相手方左スライド構造部５１、及び相手方右スライド構造部５２を伴う構造構成で、２つ以上の電力モジュール１は、互いに連続的に積層されることによって、纏めて組合せ可能となり、コネクタモジュール３と該コネクタモジュールの相手方挿入受口組立体３ａとを接続することで、拡張された大型の電力モジュールを形成できる。
本考案のこの実施形態では、左スライド構造部４１、右スライド構造部４２、相手方左スライド構造部５１、及び相手方右スライド構造部５２は、互いに対応し、嵌合するタブテール構造、又はガイドレールや嵌合ガイドスロット等、スライド移動のための他の対応し、嵌合する構造を伴うスライド構造部にできる。
【００１５】
電力モジュール１の天面板１３は、移動方向Ｍ１に延在する位置合せスロット６１と共に、更に形成される。電力モジュール１の底面板１４は、移動方向Ｍ１に延在し、位置合せスロット６１に対応する位置合せレール６２と共に、更に形成される。
また、天面板１３は、位置合せスロット６１に隣接する位置に、天面板１３に形成される補助レール６３を備え、底面板１４は、位置合せレール６２に隣接する位置に、底面板１４に形成される補助スロット６４を備える。
【００１６】
電力モジュール１の左側面板１５及び右側面板１６は、其々、電力モジュール１に優れた放熱を提供するために、放熱フィン組立体７と共に形成される。更に、放熱フィン組立体７は、少なくとも１つのクーラント液流路７１を備え、クーラント液流路７１は、配管（図示せず）と接続され、放熱作用を向上させるためにクーラント液流路７１に供給されるクーラント液を受容する。
【００１７】
図６乃至図８を参照する。同じ構造を有する追加の上側電力モジュールを、電力モジュール１に、互いに垂直方向に隣接させて積層するために、上側電力モジュールの相手方左スライド構造部及び相手方右スライド構造部は、其々電力モジュール１の左スライド構造部４１及び右スライド構造部４２と位置合せされ、上側電力モジュールが、スライド移動によって、電力モジュール１の天面板１３に結合するように、移動方向Ｍ１に移動が行われる。
【００１８】
また、電力モジュール１の底面板１４は、同じ構造を有する下側電力モジュールと組合せ可能である。電力モジュール１と下側電力モジュールとを互いに組合せて結合するために、下側電力モジュールの左スライド構造部及び右スライド構造部は、其々電力モジュール１の相手方左スライド構造部５１及び相手方右スライド構造部５２と位置合せされ、下側電力モジュールが、電力モジュール１の底面板１４の下に積層され、結合されるように、移動方向Ｍ１に移動が行われる。
【００１９】
電力モジュール１と隣接するモジュールとの積層した組合せは、位置合せスロット６１と位置合せレール６２との位置合せによってのみでなく、スライド移動のガイド効果を提供するために行われる、補助レール６３と補助スロット６４との位置合せによっても達成される。
【００２０】
図９乃至図１１を参照する。電力モジュールがスライド移動によって組合された後に、左側面板１５及び右側面板１６に設けられた係止体８が、互いに垂直方向に隣接する電力モジュールを纏めて確実に係止するように適用されてもよい。
【００２１】
本考案について、好適な実施形態を参照して説明したが、当業者には、様々な変形及び変更が、付記したクレームで規定されるものとする本考案の範囲から逸脱せずに、行われてもよいことは、明らかである。
【図１】
0003209235.tif 000003
【図２】
0003209235.tif 000004
【図３】
0003209235.tif 000005
【図４】
0003209235.tif 000006
【図５】
0003209235.tif 000007
【図６】
0003209235.tif 000008
【図７】
0003209235.tif 000009
【図８】
0003209235.tif 000010
【図９】
0003209235.tif 000011
【図１０】
0003209235.tif 000012
【図１１】
0003209235.tif 000013